(57)【要約】【課題】ＡＤＦを用いた画像読み取りにおいて長年の使用によっても画像読取精度を維持する。【解決手段】画像読取装置３０は、原稿読取位置ＡでＣＩＳ５１に対向し、ＣＩＳ５１との間に搬送された原稿を原稿排出トレイ３３に向けて搬送する搬送ローラ３６と、原稿搬送路Ｆ上の原稿読取位置Ａを含む範囲でＣＩＳ５１に対向するカバー部材３８であって、搬送ローラ３６の周面の一部を原稿搬送路Ｆ上に露出させる開口３９を有するカバー部材３８とを備えている。搬送ローラ３６は、中央部に位置して原稿を搬送するローラ３６Ａ、及び、一部が矢印Ｚ方向の位置で開口３９の内壁に重複するリングシート３６Ｂ等から構成されている。カバー部材３８は、リングシート３６Ｂの周面とＣＩＳ５１との間に開口３９の内壁から延出した延出部材３９Ａであって、カバー部材３８の厚さよりも薄い延出部材３９Ａと一体形成されている。【選択図】図５
2007274461.tif 000002
【特許請求の範囲】
【請求項１】
原稿を載置する原稿載置トレイから原稿読取位置を経由して原稿排出トレイに至るまでの間に形成された原稿搬送路と、
前記原稿読取位置で前記原稿搬送路上を搬送されている原稿に光を照射し、原稿の画像情報を読み取る画像読取部と、
前記原稿読取位置で前記画像読取部に対向し、前記画像読取部との間に搬送された原稿を前記原稿排出トレイに向けて搬送する回転自在な搬送ローラと、
前記原稿搬送路上の前記原稿読取位置を含む範囲で、前記原稿読取位置に搬送された原稿を介して前記画像読取部に対向するカバー部材であって、前記搬送ローラの周面の一部を前記原稿搬送路上に露出させる開口を有するカバー部材と、を備え、
前記搬送ローラは、中央部に位置して原稿を搬送する第１ローラと、前記第１ローラの径よりも小さい径であって、前記第１ローラの両端部に位置し、一部が前記原稿読取位置に搬送された原稿の面方向に直交する方向の位置で前記開口の内壁に重複する第２ローラと、の同軸上の２段のローラからなり、
前記カバー部材は、前記第２ローラの周面と前記画像読取部との間に前記開口の内壁から延出した延出部材であって、前記カバー部材の厚さよりも薄い延出部材と一体形成されていることを特徴とする画像読取装置。
【請求項２】
前記延出部材は、前記第２ローラに対向する側の面が前記第２ローラの軸方向に傾斜していることを特徴とする請求項１に記載の画像読取装置。
【請求項３】
前記第２ローラは、周面が前記第２ローラの軸方向に傾斜していることを特徴とする請求項１に記載の画像読取装置。
【請求項４】
前記第１ローラと前記第２ローラとは、一体形成されていることを特徴とする請求項１に記載の画像読取装置。
【発明の詳細な説明】
【技術分野】
【０００１】
この発明は、搬送されてきた原稿の画像情報を読み取る原稿読取装置に関する。
【背景技術】
【０００２】
従来、ファクシミリ装置等には、原稿の画像情報を読み取る原稿読取装置としてオートドキュメントフィーダ（以下、ＡＤＦと言う。）を備えた構成のものがある（例えば、特許文献１参照。）。ＡＤＦは、原稿搬送路上を搬送される原稿の画像情報を原稿読取位置で読み取る。
【０００３】
原稿読取装置は、図７（Ａ）に示すように原稿読取位置に、搬送ローラ２１０、ＣＩＳ（密着型画像読取素子）２２０、カバー部材２３０、カバーガラス２４０を備えている。搬送ローラ２１０は、回転により原稿搬送路Ｆ上を搬送されてきた原稿を原稿排出トレイに向けて搬送する。ＣＩＳ２２０は、図示しない光源から原稿の下面に照射された光の反射光をカバーガラス２４０を介して受け取ることで原稿の下面の画像情報を読み取る。このＣＩＳ２２０は、小型であり、装置の小型化を図るのに最適である。
【０００４】
カバー部材２３０は、白色の板形状であり、原稿読取位置の範囲を含めてＣＩＳ２２０に対向している。薄い原稿に光が照射されると一部が透過するので、反射光の量が減少して正確に画像情報を読み取ることができなくなるのを防止するためである。また、カバー部材２３０には、搬送ローラ２１０の周面の一部を原稿搬送路Ｆ上に露出させるための開口３００が形成されている。なお、同様の理由により搬送ローラ２１０も周面が白色に形成されている。
【０００５】
また、搬送ローラ２１０は、装置のサイズダウン、コストダウンの観点から主走査方向である矢印Ｘ方向の幅が原稿の矢印Ｘ方向の幅よりも小さいく形成されている。さらに、搬送ローラ２１０は、軸が軸方向（矢印Ｘ方向）に少なからず移動するために、矢印Ｘ方向にずれる場合がある。そのため、開口３００面積が小さいと衝突してしまう。搬送ローラ２１０は、ゴム等の摩擦係数の高い材質で形成されているので衝突によって摩擦が発生して搬送性能が低下する。そのため、開口３００の内壁に搬送ローラ２１０の両端が衝突しないように、矢印Ｘ方向について開口３００が大きめに形成されている。
【０００６】
また、原稿読取装置は、図７（Ａ）に示すように、搬送ローラ２１０の両端部にリングシート２５０を備えている。リングシート２５０は、樹脂で形成され、搬送ローラ２１０の径よりも小さいリング（ローラ）形状を呈している。リングシート２５０は、搬送ローラ２１０と開口３００との間の間隙を通過する光を反射する。
【０００７】
矢印Ｘ方向に開口３００が大きめに形成されていると矢印Ｘ方向の搬送ローラ２１０と開口３００との間に大きな２箇所の間隙が形成されることになるので、光源から照射された光の一部が原稿を透過した際にこの間隙を通過してしまう場合があるからである。光が反射しないと反射光の光量が減少し、読み取った画像情報のうち２箇所の間隙に対応する位置の画像情報は、本来の画像に比べて暗い（黒い）画像となるので、読み取った画像情報には二本の黒筋が含まれた状態となってしまう。
【０００８】
なお、カバー部材２３０は、樹脂製であるのでカバー部材２３０の開口３００の内壁に干渉しても摩擦がほとんど発生せず、搬送ローラ２１０の回転に影響を与えない。
【０００９】
ところが、リングシート２５０を備えた構成であっても、完全に開口３００と搬送ローラ２１０との間隙を埋めることはできず、黒筋が発生することがあった。
【００１０】
そこで、この間隙を埋めるべく近年の原稿読取装置には、図７（Ｂ）に示すように、カバー部材２３０の開口３００の内壁付近の下面から矢印Ｘ方向に延出したシート部材２６０を備えている。シート部材２６０は、リングシート２５０とＣＩＳ２２０との間に位置するように延出し、リングシート２５０では完全に埋めることのできない搬送ローラ２１０と開口３００との間隙を覆い、原稿を透過した光を反射する。
【００１１】
なお、シート部材２６０は、搬送ローラ２１０には衝突しない。衝突する前に開口３００の内壁がリングシート２５０に衝突するからである。
【特許文献１】特開２００１−２８５５９６号公報
【発明の開示】
【発明が解決しようとする課題】
【００１２】
ところが、シート部材を備えた原稿読取装置の構成では、シート部材を接着剤等によって貼付しているので、原稿搬送路上を搬送される用紙と接触する。そのため、長年の使用により剥がれてしまう虞がある。シート部材が剥がれると、原稿画像の読取性能を低減させるだけでなく、用紙の搬送性能にも影響を与える。
【００１３】
シート部材を用いずにカバー部材自体の厚さを薄くし、カバー部材をリングシートの周面に対向させる構成も考えられるが、カバー部材自体の耐久性の観点から薄くしすぎることもできない。また、リングシートの径を従来よりも小さくして相対的に従来のカバー部材の厚さを薄くし、カバー部材をリングシートの周面に対向させる構成も考えられるが、リングシートの周面とＣＩＳとの距離が長くなるので、被写界深度が短いＣＩＳではリングシートでの反射光を正確に受光することができない。なお、ＣＩＳの被写界深度は０．４ｍｍ程度である。
【００１４】
この発明の目的は、長年の使用によっても画像読取精度を維持することができる画像読取装置を提供することにある。
【課題を解決するための手段】
【００１５】
この発明は、上記の課題を解決するために、以下の構成を備えている。
【００１６】
（１）画像読取装置は、原稿搬送路と、画像読取部と、搬送ローラと、カバー部材とを備えている。
【００１７】
原稿搬送路は、原稿を載置する原稿載置トレイから原稿読取位置を経由して原稿排出トレイに至るまでの間に形成されている。画像読取部は、原稿読取位置で原稿搬送路上を搬送されている原稿に光を照射し、原稿の画像情報を読み取る。搬送ローラは、原稿読取位置で画像読取部に対向し、画像読取部との間に搬送された原稿を原稿排出トレイに向けて搬送する回転自在な構成である。カバー部材は、原稿搬送路上の原稿読取位置を含む範囲で、原稿読取位置に搬送された原稿を介して画像読取部に対向するカバー部材であって、搬送ローラの周面の一部を原稿搬送路上に露出させる開口を有する。
【００１８】
また、搬送ローラは、中央部に位置して原稿を搬送する第１ローラと、第１ローラの径よりも小さい径であって、第１ローラの両端部に位置し、一部が原稿読取位置に搬送された原稿の面方向に直交する方向の位置で開口の内壁に重複する第２ローラと、の同軸上の２段のローラから構成されている。さらに、カバー部材は、第２ローラの周面と画像読取部との間に開口の内壁から延出した延出部材であって、カバー部材の厚さよりも薄い延出部材と一体形成されている。
【００１９】
この構成においては、原稿読取位置で原稿に照射された光の反射光が画像読取部によって受け取られて原稿の画像情報が取得される。また、開口の内壁から延出した延出部材が第２ローラの周面と画像読取部との間に位置しているので、照射された光が原稿を透過して第２ローラと開口の内壁との間を通過せず、延出部材で反射する。
【００２０】
また、カバー部材と延出部材とが一体形成されているので、延出部材の剥がれ等が生じない。さらに、延出部材をカバー部材に取り付ける工程が必要なく、しかも一体形成によりコストが低減される。
【００２１】
（２）上記（１）の構成において、延出部材は、第２ローラに対向する側の面が第２ローラの軸方向に傾斜している。
【００２２】
この構成においては、延出部材の第２ローラに対向する側の面が軸方向に傾斜している。延出部材の第２ローラに対向する側の面は、搬送ローラの軸方向の移動が生じた場合に第２ローラの一部に当接する可能性があるが、傾斜しているので当接しても摩擦が生じ難い。
【００２３】
（３）上記（１）の構成において、第２ローラは、周面が第２ローラの軸方向に傾斜している。
【００２４】
この構成においては、第２ローラの周面が軸方向に傾斜している。第２ローラの周面は、搬送ローラの軸方向の移動が生じた場合にカバー部材の開口の内壁の一部又は延出部材の一部に当接する可能性があるが、傾斜しているので当接しても摩擦が生じ難い。
【００２５】
（４）上記（１）の構成において、第１ローラと第２ローラとは、一体形成されている。
【００２６】
この構成においては、第１ローラと第２ローラとが一体形成されて搬送ローラが構成されている。したがって、第１ローラに第２ローラを取り付ける工程が必要なく、また一体形成によりコストが低減される。
【発明の効果】
【００２７】
この発明によれば、以下の効果を奏することができる。
【００２８】
（１）第２ローラの周面と画像読取部との間に延出した延出部材をカバー部材に一体形成することによって、延出部材の耐久性を向上させることができるので、画像読取精度を長期間維持することができる。また、装置の製造工程を単純にできる。さらに、一体形成によりコストダウンを図ることができる。
【００２９】
（２）延出部材の第２ローラに対向する側の面を軸方向に傾斜させることによって、延出部材が第２ローラの一部に当接しても摩擦を生じ難くできるので、原稿の搬送性能の低下を防止できる。
【００３０】
（３）第２ローラの周面を軸方向に傾斜させることによって、第２ローラが開口の内壁の一部又は延出部材の一部に当接しても摩擦を生じ難くできるので、原稿の搬送性能の低下を防止できる。
【００３１】
（４）第１ローラと第２ローラとを一体形成することによって、装置の製造工程を単純にできる。また、一体形成によりコストダウンを図ることができる。
【発明を実施するための最良の形態】
【００３２】
以下、この発明の最良の実施形態に係る画像読取装置を備えた複合機を図面を参照しつつ詳細に説明する。
【００３３】
図１は、この発明の実施形態に係る複合機の構成を示す外観図である。複合機１００は、ファクシミリ機能、原稿の画像情報を読み取って画像形成する複写機能、受信した画像情報に基づいて画像形成する印刷機能を有する。
【００３４】
複合機１００は、操作部１０、表示部２０、画像読取装置３０（図２参照）、給排紙部（図示せず）等から構成されている。操作部１０は、複写機能等の各種機能の選択、複写枚数の指定やファクシミリデータの送信先の指定等を受け付ける。表示部２０は、本実施形態ではＬＣＤ（液晶表示装置）で構成され、複合機１００の状態等を表示する。給排紙部は、回動自在なカバー４１が備えられ、カバー４１を複合機１００の前面側に回動させた状態で、複合機１００の内部で画像形成された用紙を排出する。
【００３５】
給排紙部は、複合機１００の内部において、下段に画像形成されるべき用紙を載置する図示しない載置トレイ、上段に画像形成された用紙を排出する図示しない排出トレイを備えている。下段の載置トレイに載置されている用紙は、複合機１００の前面から背面に向かって搬送され、背面側で下段から上段に折り返し搬送される。その後、背面から前面に向かって搬送され、図示しない画像形成部で画像形成された後に排出トレイに排出される。
【００３６】
画像読取装置３０は、図２に示すようにＡＤＦ３１及び画像読取部５０等から構成され、原稿の画像情報を読み取る。ＡＤＦ３１は、図２〜図４に示すように、カバー３２、原稿排出トレイ３３、原稿搬送路Ｆ等から構成されている。原稿カバー３２は、図１の紙面左側から右側に回動自在であり、図１に示す状態で内部に位置する原稿排出トレイ３３等を保護する。また、原稿カバー３２は、図３に示す回動した状態で原稿載置トレイ３２Ａとなり、読み取るべき原稿が載置される。
【００３７】
原稿排出トレイ３３は、画像情報が読み取られた原稿を載置する。原稿搬送路Ｆは、原稿載置トレイ３２Ａから原稿読取位置Ａを経由して原稿排出トレイ３３に至るまでの間で形成されている。原稿は、原稿載置トレイ３２Ａから原稿搬送路Ｆ上を搬送されて原稿排出トレイ３３に排出される。原稿搬送路Ｆ上には、ピックアップローラ３５、搬送ローラ３６、従動ローラ３７Ａ〜３７Ｃ等が配置されている。ピックアップローラ３５は、載置されている原稿を一枚ずつ原稿読取位置Ａに向けて繰り出す。
【００３８】
搬送ローラ３６は、図４に示すように、軸方向である矢印Ｘ方向の中央部にのみ位置し、回転駆動して原稿を原稿排出トレイ３３に搬送する。従動ローラ３７Ａ〜３７Ｃは、搬送ローラ３６の周面に当接して搬送ローラ３６の回転に従動して回転する。原稿は、搬送ローラ３６と従動ローラ３７Ａ〜３７Ｃの当接箇所を通過して搬送される。
【００３９】
また、原稿搬送路Ｆ上には、原稿読取位置Ａで搬送ローラ３６に対向するコンタクトガラス６０が配置されている。原稿は、搬送ローラ３６とコンタクトガラス６０との間の原稿読取位置Ａを通過する際、画像読取部５０によって下面の画像情報が読み取られる。
【００４０】
またＡＤＦ３１は、複合機１００の背面側を支点として回動自在に支持され、閉じた状態でコンタクトガラス６０、原稿台６１に対向している。原稿台６１は、ガラス製であり、読み取るべき原稿を載置する。例えば、ＡＤＦ３１で搬送することができない本等の原稿を読み取る際に用いる。ＡＤＦ３１は、閉じた状態で原稿台６１に載置された原稿を押さえる機能を果たす。
【００４１】
画像読取部５０は、ＣＩＳ５１等から構成され、原稿の画像情報を読み取る。ＣＩＳ５１は、図示しない光源からコンタクトガラス６０、原稿台６１を介して原稿に照射された光の反射光を受け取って画像情報を読み取る。
【００４２】
また、ＣＩＳ５１は、図示しない移動機構によって主走査方向（矢印Ｘ方向）に直交する方向である矢印Ｙ方向に移動自在であり、図２の実線で示す位置Ｐで、原稿読取位置Ａを通過する原稿の画像情報を読み取る。一方、図２の点線で示す位置Ｑを開始位置とし、矢印Ｙ方向に移動しつつ原稿台６１に載置された原稿の画像情報を読み取る。
【００４３】
図５は、図２に示すＫ−Ｋ′断面を矢印Ｊ方向から見た拡大断面図である。搬送ローラ３６は、本発明の第１ローラに相当するローラ３６Ａと、ローラ３６Ａの両端部に位置するリングシート（本発明の第２ローラに相当する。）３６Ｂ等から構成されている。リングシート３６Ｂは、リング（ローラ）形状を呈し、同軸上のローラ３６Ａとともに回転する。また、リングシート３６Ｂは、ローラ３６Ａの径よりも小さい。
【００４４】
この搬送ローラ３６の下方には、カバー部材３８が配置されている。カバー部材３８は、原稿搬送路Ｆ上の画像読取位置Ａを含む範囲で、原稿読取位置Ａに搬送された原稿を介してＣＩＳ５１に対向している。また、カバー部材３８は、搬送ローラ３６のローラ３６Ａの周面を原稿搬送路Ｆ上に露出させる開口３９を有する。カバー部材３８は、樹脂等の白色の部材で形成され、原稿読取位置Ａで原稿を透過した光を反射させる。なお、搬送ローラ３６のローラ３６Ａ及びリングシート３６Ｂも原稿を透過した光を反射するように白色で形成されている。
【００４５】
開口３９の内壁は、上面がリングシート３６Ｂの周面に対向せず、且つ、原稿読取位置Ａに搬送された原稿の面方向に直交する方向（矢印Ｚ方向）の位置でリングシート３６Ｂに重複している。つまり、開口３９の内壁の一部が、リングシート３６Ｂの一部に対向している。
【００４６】
また、カバー部材３８は、開口３９の内壁から矢印Ｘ方向に延出した延出部材３９Ａが形成されている。延出部材３９Ａは、カバー部材３８の厚さよりも薄く、リングシート３６Ｂの周面とコンタクトガラス６０との間に延出し、上面がリングシート３６Ｂの周面の一部に対向している。
【００４７】
延出部材３９Ａは、カバー部材３８と同様に原稿を透過した光を反射し、光がリングシート３６Ｂと開口３９の内壁との間の間隙を通過することを防止している。延出部材３９Ａは、白色で形成されている。
【００４８】
これにより、原稿読取位置Ａで照射された光が原稿を透過しても、リングシート３６Ｂ、カバー部材３８、延出部材３９Ａによって反射し、再び原稿を透過してＣＩＳ５１に受け取られる。したがって、ＣＩＳ５１が原稿の反射光を正確に受け取ることができ、画像情報を正確に読み取ることができる。
【００４９】
また、延出部材３９Ａがカバー部材３８と一体形成されているので、延出部材３９Ａの剥がれ等が生じ難く、耐久性を向上させることができ、画像読取精度を長期間維持することができる。さらに、延出部材３９Ａをカバー部材３８に取り付ける工程が必要なく、画像読取装置３０の製造工程を単純にできる。しかも、一体形成によりコストダウンを図ることができる。
【００５０】
本実施形態では、搬送ローラ３６のローラ３６Ａとリングシート３６Ｂとを別体で形成しているが一体形成してもよい。例えば、ローラ３６Ａ及びリングシート３６Ｂを樹脂で一体形成し、ローラ３６Ａの周面に無端ベルトを被覆した構成がある。
【００５１】
また、本実施形態では、延出部材３９Ａを階段上に形成しているが、例えば図６に示すようなリングシート３６Ｂに対向する側の面が矢印Ｘ方向に傾斜したテーパ形状であってもよい。また、リングシート３６Ｂの周面についても、図６に示すように矢印Ｘ方向に傾斜したテーパ形状であってもよい。延出部材３９Ａのリグシート３６Ｂに対向する側の面は、搬送ローラ３６の矢印Ｘ向の移動が生じた場合にリングシート３６Ｂの一部に当接する可能性があるが、傾斜しているので当接しても摩擦が生じ難く、原稿の搬送性能が低下することを防止できる。
【００５２】
なお、本実施形態では、複合機について説明したが、画像情報を読み取るスキャナ装置や、複写機等の画像読取装置を備えた装置にも本発明を適用できる。
【図面の簡単な説明】
【００５３】
【図１】この発明の実施形態に係る複合機の構成を示す外観図である。
【図２】この発明の実施形態に係る画像読取装置の一部の構成を示す拡大正面断面図である。
【図３】ＡＤＦのカバーを回動した状態を示す斜視図である。
【図４】ＡＤＦの内部の構成の一部を示す説明図である。
【図５】図２に示すＫ−Ｋ′断面を矢印Ｊ方向から見た拡大断面図である。
【図６】本実施形態と別の実施形態の原稿読取装置の原稿読取位置での一部の構成を示す側面断面図である。
【図７】従来の原稿読取装置の原稿読取位置での一部の構成を示す側面断面図である。
【符号の説明】
【００５４】
３０−原稿読取装置
３２Ａ−原稿載置トレイ
３３−原稿排出トレイ
３６−搬送ローラ
３６Ａ−ローラ
３６Ｂ−リングシート
３８−カバー部材
３９−開口
３９Ａ−延出部材
５０−画像読取部
５１−ＣＩＳ
１００−複合機
Ｆ−原稿搬送路
【図１】
2007274461.tif 000003
【図２】
2007274461.tif 000004
【図３】
2007274461.tif 000005
【図４】
2007274461.tif 000006
【図５】
2007274461.tif 000007
【図６】
2007274461.tif 000008
【図７】
2007274461.tif 000009